(57)【要約】      （修正有）【課題】建設現場において、建設用資材を、綺麗に運搬、投下でき、運搬に掛かるコストを大幅に削減でき、数種類のバケットを短時間で、かつ容易に交換できるバケット構造体を提供する。【解決手段】バケット本体１の掬い箱部の最奥壁３の中心部に長方形の投下口４を穿設し、バケット本体の間口の上方を、間口の側壁６の端縁に固定した傾斜側壁１２と、中間補強側壁１３と、側壁１３の端縁に掘削爪９とほぼ平行に固定した三角形の上面板１４と、上面板１４間に固定した中央部連結板とから包囲体１１を形成し、間口を包囲する。掬い箱部の背壁５の裏面で、投下口近傍に投下口を開閉する蓋開閉機構２１を設け、また、中央部連結板上に下駄の歯の逆に形成したアームの先端と連結する装着部を有する連結具１７を締結具１７ａで一体に取付ける。【選択図】図１
0003159144.tif 000002
【実用新案登録請求の範囲】
【請求項１】
掘削爪を底壁に有し、該底壁とこれを延長した最奥壁と背壁と両側壁と該底壁、両側壁端縁に外周縁部補強板を固定すると共に、背壁端縁に底壁と平行に補強も兼ねる天壁を固定し、かつ上記最奥壁に投下口を穿設した掬い箱部からなるバケット本体と、前記掬い箱部の上面となる間口を覆う包囲体と、前記背壁裏面近傍に装着し、上記投下口を開閉する蓋開閉機構と、前記中央部連結板に着脱自在に装着したブームのアーム等の連結端を装着する連結具を設けたことを特徴とするバケット構造体。
【請求項２】
包囲体は、両側壁に固定した外周縁部補強板の上端縁に傾斜側壁の下端縁を該傾斜側壁の上端縁に中継傾斜側壁の下端縁を固定し該中継傾斜側壁の上端縁に前記底壁と平行に固定した左右の上面板と該上面板の内側の両端縁に固定した中央部連結板とから形成したことを特徴とする請求項１記載のバケット構造体
【請求項３】
投下口は、最奥壁の中央から側壁までのほぼ１／３以上の大きさで長方形、正方形、円形状等に穿設したしたことを特徴とする請求項１，２のいずれか１項記載のバケット構造体。
【請求項４】
蓋開閉機構は、投下口を塞ぐ蓋と、該蓋補強部と、固定点と移動支点を有するカバー兼支持碁部と、シリンダー等の駆動源と、該駆動源の支持碁台とから構成したことを特徴とする請求項１から３項のいずれか１項記載のバケット構造体。
【請求項５】
連結具は、垂直な装着部と平面状の取付部とから逆下駄歯状に形成し、該取付部を中央部連結板に締結具を介して着脱自在で、かつ一体に装着し、上記装着部にもうけた装着孔にブーム先端のアームとリンクの連結端を装着することを特徴とする請求項１から４項のいずれか１項記載のバケット構造体。
【請求項６】
包囲体の側壁になる傾斜側壁と中継傾斜側壁に端縁を底壁と平行な角度で包囲体補強板を固定したことを特徴とする請求項１から５項のいずれか１項記載のバケット構造体。
【考案の詳細な説明】
【技術分野】
【０００１】        本考案は、砕石、砂、砂利、土砂、残土等の玉石を除く建設用資材をショベルカーで運搬後、投下する際に、建設機械、例えばショベルカー等のバケットの掬う箱の角度を変えることなく、しかも殆ど揺動することもなく所定の場所等にバケット本体の底壁に設けた投下口を単に開くことで建設用資材を目的位置に投下でき、かつサイズの異なるバケット構造体の着脱も簡単な連結具を介して容易に、かつ迅速で確実に着脱できるバケット構造体に関するものである。
【背景技術】
【０００２】        従来から、建設用資材の砕石、砂、砂利、土砂等（以下、単に建設資材という。）をショベルカー等の建設用機械のバケットで運搬して所定の位置に投下する際は、建設資材を収納したバケットを所定の位置まで運搬し、そこでバケット内の建設資材が落下する角度まで折り曲げ、その後、バケットを揺動、或いは振動させたりして建設資材を投下する作業を繰り返す工程であった。その結果、作業効率が悪く、時間が掛かり、騒音があり、コストアップになっていた。【０００３】        また、建設機械で収納容量が異なるバケットに交換する際は、アームに係わる連結箇所や、油圧系、角度変更油圧シリンダー等の連結に係わる全てを繋ぎ変える必要があり、交換作業が煩雑で作業時間が係り、それに熟練が不可欠であった。【０００４】        そこで、建設機械のアームとバケット間にアタッチメントを設けた提案が知られている。（例えば、特許文献１，２を参照）
【先行技術文献】
【０００５】
【特許文献１】  特開平７−２７９１９２号公報
【特許文献１】  特開平８−４０４３号公報
【考案の概要】
【考案が解決しようとする課題】
【０００６】        しかしながら、工事現場では建設機械で建設資材の運搬、投下する際には、制限された場所での投下、建設資材の種類と量も多種あり、作業時間、騒音も規制される作業環境が多い。また、特許文献１、及び２では、アタッチメントが複雑であり、かつ高価になり、しかも住宅地等の環境が厳しい条件では、トラブルが多々生じる不具合が生じる虞があった。【０００７】        本考案はこのような問題を解決するために、ショベルカー等の建設機械の建設資材収容のバケット本体の角度を変えることなく、移動した場所で建設資材を確実に直接に投下でき、またバケット本体に簡単な連結具を設け、大きさのことなるバケット本体の交換を容易にした建設機械用のバケット構造体を提供することを目的とする。
【課題を解決するための手段】
【０００８】        本考案は、このような課題を解決するためショベルカー等において、建設資材用のバケット本体の底壁と最奥壁と背壁と側壁からなる掬い箱部に収納した建設資材を投下するための長方形、正方形、円形等の投下口を最奥壁に穿設し、かつこの投下口を閉塞したり開いたりする蓋開閉機構を掬い箱部の背壁裏面に装着し、掬い箱部に収容した建設資材を指定された位置の真上で投下口を開き、建設資材を確実に所定の位置に投下し、またバケット本体の掬い箱部の上面の間口を包囲体で覆ったバケット構造体である。【０００９】        また、包囲体は、バケット本体の側壁端部に固定した外周縁部補強板の上端縁に下端を固定した三角状の左右の立ち上げ傾斜側板とこの上端縁に、その下端縁を固定した左右の中継ぎ傾斜板と、その中継ぎ傾斜板上端縁間に設け、かつ底壁と平行に固定した三角形で平板状の左右上面板と、その端縁に固定した中央部連結板と、背壁の上端縁部に下端縁部を底壁と平行に固定した補強材でもある天壁の上端縁に左右上面板と中央部連結板の下端縁を固定して一体化した構成のバケット構造体である。【００１０】        さらに、連結具は、下駄の逆歯形の形状で、その取付け部を中央部連結板の表面に装着し、ブームに連結した主アーム、角度変化用のリンクアームの先端とボルト、ナット等の締結具を介して着脱可能とした分離型に構成し、かつ間口の上面をほぼ覆い、運搬中に収納した建設資材を外部に落下させないようにしたバケット構造体である。なお、中央部連結板と該連結板に着脱自在に装着する連結具には、各種アーム先端の連結部と連結するために各種連結部のピッチに対応する連結用の締結孔を設けたバケット構造体である。【００１１】        さらに、蓋開閉機構は、バケット本体が建設資材を掬い上げる作業を邪魔しない位置、即ち最奥壁近傍の裏面で、背壁に位置するところに蓋開閉機構を軸支する支持基部と駆動源となるシリンダーの軸支点となる支承部を有する箱状の蓋補強部を設け、しかも掬い箱部の投下口を塞ぐ大きさの蓋から構成したバケット構造体である。【００１２】        前記掬い箱部、及び包囲体、補強板は、溶接による固定が主体であるが、締結具による固定も可能である。【００１３】        包囲体は、掬った建設資材を落下せずに、しかも多く掬える角度に構成することも可能であり、かつ建設資材の運搬中にバケット本体から建設資材が落下しないように覆う最大限の大きさ、例えば傾斜側壁等１枚の鋼板を曲げ加工して彎曲面に形成することもできる。【００１４】        また、投下口は掬い箱部の大きさに応じて側壁近傍まで形成することも可能である。ただし、蓋開閉機構も同じような大きさが必要である。
【考案の効果】
【００１５】        本考案に係るバケット構造体は、収容した建設資材をバケット本体外に落下せず所定位置まで運搬でき、しかもその指定された位置の真上で建設用資材をバケット構造体の最奥壁に穿設した投下口を蓋開閉機構で開口するだけでバケット本体内の建設資材を投下できるため、運搬作業と落下作業が効率良く行える特徴がある。【００１６】        また、投下口は、掬い箱部の最奥壁に穿設したため建設資材投下の際に運搬した建設資材が周辺へちらばることもなく、後処理の作業員等の人工のコストを削除できる利点がある。【００１７】        さらに、バケット構造体の間口の上方を包囲体で覆い、掬い箱部の建設資材の収容量を大幅に増加でき、建設資材の運搬効率等のコストダウンも大幅に図れる特徴がある。【００１８】        連結具は、大きさの異なる各種バケットのアーム、リンク先端の連結部サイズに対応して具備し、中央部連結板に備えたボルト、ナット等の締結具を用いて短時間で、かつ簡単に熟練を要せず交換でき、収納容量の異なるバケットの交換作業が極めて短時間で行える特徴がある。
【図面の簡単な説明】
【００１９】
【図１】本考案に係る建設用バケット構造体の一実施例を示す斜視図である。
【図２】図１におけるＡ−Ａ線における矢視断面図である。
【図３】図１におけるＡ−Ａ線における矢視断面図で、蓋開閉機構が閉塞した状態を示す説明図ある。
【図４】図３におけるＡ部を拡大して示す説明図である。
【図５】図１におけるＢ−Ｂ線における矢視断面図である。
【図６】図１におけるＣ−Ｃ線における矢視断面図である。
【図７】図１におけるＤ−Ｄ線における矢視断面図である。
【図８】本考案に係る建設用バケット構造体の要部の１つである連結具の一実施例を示す斜視図である。
【考案を実施するための形態】
【００２０】        以下に、本考案に係る建設用バケット構造体の一実施例の形態につき図面を用いて詳細に説明する。即ち、図１は上記建設用バケット構造体の全体を示す斜視図であり、１はバケット本体で底壁２と最奥壁３と投下口４と背壁５と左右の側壁６と外周縁部補強板７とからなる掬い箱部８とから構成し、建設資材を掬い上げ収納し、開閉する投下口４を開いて建設資材を所定の位置で投下するものである。なお、投下口４は図５に示すようにバケット本体１の側壁６間の約１／３位の長さで穿設した長方形。正方形、円形等の切り欠きである。
【００２１】        ９は掘削爪で底壁２の先端部に着脱自在に装着し、また掬い箱部８の間口１０において、掘削爪９以外の外周端縁に固定し、間口１０の面積を制限すると共に、バケット本体１の補強とカバー兼ねる包囲体１１を設ける。包囲体１１は、図１，２図，３図，６図、７図に示すように側壁６の外周縁補強板７の端縁に固定（例えば、溶接）した左右の傾斜側板１２とその端縁に包囲体１１の容積を増した断面形状を形成するために傾斜して固定（例えば、溶接）した中継傾斜側板１３と中継傾斜側板１３の上端縁に固定した三角形状で平面の左右の上面板１４と上面板１４の端縁間を延長した面を形成するように固定した中央部連結板１５とから構成したものである。
【００２２】        中央部連結板１５には、各種バケット構造体の締結具１７ａのピッチにマッチするような寸法で複数の取付孔１５ａを穿設する。１６は天壁で中央部連結板１５の下端縁に補強と下記する連結具を装着するためのものであり、しかも天壁１６は掘削爪９とほぼ平行になる角度で固定する。また、１７は連結具で例えば図８に示すように中央部連結板１５と一体に着脱自在に装着するものであり、取付部１８と取付孔１９と、その中央部に建設機器のアームの間隔にマッチし、かつ垂直に固定した装着部２０とを一体に形成する。なお、装着部２０には上記アーム等の先端の連結部分と組み付けられる装着孔２０ａを設ける。
【００２３】        蓋開閉機構２１は図１、図２から図４に示すようにバケット本体１の背壁５の裏面５ａに装着したものであり、投下口４よりｔだけ小さいサイズである蓋２２とカバー兼支持基部２３と蓋補強片２４と逆凹状のカバー２５で蓋２２の裏面に一体に固定し、かつ補強片２４は蓋２２より大きく、投下口４を覆うものである。２６は固定支持点で投下口４の右辺端縁の裏面に装着し、ピン２７と蓋補強片２４の右端縁に固定した連結片２８とで一体化し、ピン２７を中心にカバー兼支持碁部２３が回動する構成である。２９は移動支点でカバー２５の上端縁にピン２７を介して支承し、駆動源、３０、例えば、蓋２２を矢印方向に往復動するシリンダーの連結端部３１を装着する。３２は駆動源３０の支持基台で背壁４の裏面４ａに固定するのに役立つ。
【００２４】        ３３は補強板で底壁２と平行な角度に、かつ側壁６の中間部に固定し、バケット本体１の補強と建設資材の固まり阻止（裁断）の次的副次的機能を持たせる。３４は包囲体補強板で図２，図６に示すように傾斜側板１２と中継傾斜側板１３の表面端部に底壁２と平行な角度に固定し、建設資材の固まり防止（裁断）も兼ねるものである。
なお、これら補強板３３，及び包囲体補強板３４は一枚に限らず、複数枚を間隔を有して固定することもできる。
【００２５】        ３５は主アームで、３６はリンクアームでショベルカー等のブームの操作用のアームである。
【００２６】    次ぎに、本考案に係る建設用バケット構造体の使用法を説明する。
まず、図１に示すバケット構造体を主アーム３５とリンクアーム３６の先端の連結端３１に連結具１７が装着してあり、図２に示すように蓋開閉機構２１を駆動して投下口４を塞ぎ、建設資材をショベルカーで掬い所定の場所に図２に示すような状態で運搬したと仮定する。次ぎに、駆動源３０である例えば、シリンダーを矢印方向に引っ張り、カバー兼装着部２３の支承部２３ａと移動支点２６を中心に回転して図３に示すように蓋２２とカバー兼支持基部２３が回転し、投下口４を開くと、そこから建設用資材が真下に投下される。勿論、建設用資材は投下口４の範囲からあまり広がらずに所定範囲に落下する。よって落下周辺の人工による清掃等が殆ど必要でなく、綺麗である。
【００２７】        建設用資材の投下が終了したら、シリンダーで蓋開閉機構２１を上記と反対の矢印方向に引き、投下口４を塞ぎ、建設用資材のある位置に移動して、再度、建設用資材を建設用バケット構造体の掬い箱部８で掬い、そのままで指定の位置まで移動するような作業を繰り返すことによって、建設用資材の運搬作業が完了する。
【符号の説明】
【００２８】１  バケット本体
２  底壁
３  最奥壁
４  投下口
５  背壁
５ａ  背壁裏面
６  側壁
７  外周縁部補強板
８  掬い箱部
１０  間口
１１  包囲体
１３  傾斜側壁
１４  天壁
１７  連結具
１８  取付部
２０  装着部
２１  蓋開閉機構
２２  蓋
２３  カバー兼支持碁部
２６  固定支持点
２９  移動支点
３０  駆動源
３４  包囲体補強板
３５  主アーム
３６  リンクアーム
【図１】
0003159144.tif 000003
【図２】
0003159144.tif 000004
【図３】
0003159144.tif 000005
【図４】
0003159144.tif 000006
【図５】
0003159144.tif 000007
【図６】
0003159144.tif 000008
【図７】
0003159144.tif 000009
【図８】
0003159144.tif 000010
【手続補正書】
【提出日】平成22年2月15日(2010.2.15)
【手続補正１】
【補正対象書類名】実用新案登録請求の範囲
【補正対象項目名】全文
【補正方法】変更
【補正の内容】
【実用新案登録請求の範囲】
【請求項１】
掘削爪を底壁に有し、該底壁とこれを延長した最奥壁と背壁と両側壁と該底壁、両側壁端縁に外周縁部補強板を固定すると共に、背壁端縁に底壁と平行に補強も兼ねる天壁を固定し、かつ上記最奥壁に投下口を穿設した掬い箱部からなるバケット本体と、前記掬い箱部の上面となる間口を覆う包囲体と、前記背壁裏面近傍に装着し、上記投下口を開閉する蓋開閉機構と、前記包囲体の両上面板の内側の両端縁に固定した中央部連結板に着脱自在に装着したブームのアームの連結端を装着する連結具とを設けたことを特徴とするバケット構造体。
【請求項２】
包囲体は、両側壁に固定した外周縁部補強板の上端縁に傾斜側壁の下端縁を該傾斜側壁の上端縁に中継傾斜側壁の下端縁を固定し該中継傾斜側壁の上端縁に前記底壁と平行に固定した左右の上面板と該上面板の内側の両端縁に固定した中央部連結板とから形成したことを特徴とする請求項１記載のバケット構造体
【請求項３】
投下口は、最奥壁の中央から側壁までのほぼ１／３以上の大きさで長方形、正方形、円形状に穿設したしたことを特徴とする請求項１，２のいずれか１項記載のバケット構造体。
【請求項４】
蓋開閉機構は、投下口を塞ぐ蓋と、該蓋と一体に形成した蓋補強片と、固定点と移動支点を有するカバー兼支持碁部と、シリンダーの駆動源と、該駆動源の支持碁台とから構成したことを特徴とする請求項１から３項のいずれか１項記載のバケット構造体。
【請求項５】
連結具は、垂直な装着部と平面状の取付部とから逆下駄歯状に形成し、該取付部を中央部連結板に締結具を介して着脱自在で、かつ一体に装着し、上記装着部にもうけた装着孔にブーム先端のアームとリンクの連結端を装着することを特徴とする請求項１から４項のいずれか１項記載のバケット構造体。
【請求項６】
包囲体の側壁になる傾斜側壁と中継傾斜側壁に端縁を底壁と平行な角度で包囲体補強板を固定したことを特徴とする請求項１から５項のいずれか１項記載のバケット構造体。